(57)【要約】【課題】観賞位置に応じて立体視映像と平面視映像とを切り替えて表示すること。【解決手段】左眼の視界を開放または遮蔽するための第１遮蔽手段と、右眼の視界を開放または遮蔽するための第２遮蔽手段と、左眼用の映像信号及び右眼用の映像信号の表示タイミングに同期して当該映像信号の表示を行う表示装置から送信された前記第１遮蔽手段を開閉させるための第１制御信号と、前記第２遮蔽手段を開閉させるための第２制御信号とを受信する受信手段と、前記第１制御信号及び前記第２制御信号に基づいて、前記第１遮蔽手段及び前記第２遮蔽手段の開閉を制御する制御手段と、を備え、前記制御手段は、前記表示装置と自己の装置との間の距離に応じて、前記第１遮蔽手段及び前記第２遮蔽手段の開閉を、立体視用と平面視用とに切り換えて制御する。【選択図】図３
2012049987.tif 000002
【特許請求の範囲】
【請求項１】
左眼の視界を開放または遮蔽するための第１遮蔽手段と、
右眼の視界を開放または遮蔽するための第２遮蔽手段と、
左眼用の映像信号及び右眼用の映像信号の表示タイミングに同期して当該映像信号の表示を行う表示装置から送信された前記第１遮蔽手段を開閉させるための第１制御信号と、前記第２遮蔽手段を開閉させるための第２制御信号とを受信する受信手段と、
前記第１制御信号及び前記第２制御信号に基づいて、前記第１遮蔽手段及び前記第２遮蔽手段の開閉を制御する制御手段と、
を備え、
前記制御手段は、前記表示装置と自己の装置との間の距離に応じて、前記第１遮蔽手段及び前記第２遮蔽手段の開閉を、立体視用と平面視用とに切り換えて制御することを特徴とする立体視用眼鏡。
【請求項２】
前記制御手段は、
前記表示装置と自己の装置との間の距離が、所定の立体視可能範囲に含まれる場合に、前記第１制御信号及び前記第２制御信号に基づいて、前記第１遮蔽手段及び前記第２遮蔽手段を交互に開閉させる立体視用に切り換え、
前記表示装置と自己の装置との間の距離が、前記立体視可能範囲外の場合に、前記第１制御信号又は前記第２制御信号に基づいて、前記第１遮蔽手段及び前記第２遮蔽手段を同時に開閉させる平面視用に切り換えることを特徴とする請求項１に記載の立体視用眼鏡。
【請求項３】
前記表示装置と自己の装置との間の距離を測定する測定手段を更に備え、
前記制御手段は、前記測定手段が測定した距離に応じて、前記第１制御信号及び前記第２制御信号に基づく前記第１遮蔽手段及び前記第２遮蔽手段の開閉を、立体視用と平面視用とに切り換えることを特徴とする請求項１又は２に記載の立体視用眼鏡。
【請求項４】
前記測定手段は、前記受信手段が受信した前記第１制御信号及び前記第２制御信号の強度に基づいて、前記表示装置と自己の装置との間の距離を測定することを特徴とする請求項３に記載の立体視用眼鏡。
【請求項５】
前記制御手段は、前記表示装置から提供される当該表示装置と自己の装置との間の距離に応じて、前記第１制御信号及び前記第２制御信号に基づく前記第１遮蔽手段及び前記第２遮蔽手段の開閉を、立体視用と平面視用とに切り換えることを特徴とする請求項１又は２に記載の立体視用眼鏡。
【請求項６】
左眼用の映像信号及び右眼用の映像信号を表示装置に交互に表示させる表示制御手段と、
前記表示装置と当該表示装置の観察用に設けられた各立体視用眼鏡との間の距離を測定する測定手段と、
前記左眼用の映像信号及び前記右眼用の映像信号の表示タイミングに同期して、前記立体視用眼鏡の右眼及び左眼の視界を交互に開閉させるための制御信号を、前記測定手段が測定した各立体視眼鏡の距離を表す距離信号とともに、前記立体視用眼鏡の各々に送信する送信手段と、
を備えたことを特徴とする立体視映像表示装置。
【請求項７】
立体視映像表示装置と立体視用眼鏡とを有した立体視映像表示システムであって、
前記立体視映像表示装置は、
左眼用の映像信号及び右眼用の映像信号を表示装置に交互に表示させる表示制御手段と、
前記左眼用の映像信号の表示タイミングに同期して第１制御信号を前記立体視用眼鏡に送信するとともに、前記右眼用の映像信号の表示タイミングに同期して第２制御信号を前記立体視用眼鏡に送信する送信手段と、
を備え、
前記立体視用眼鏡は、
左眼の視界を開放または遮蔽するための第１遮蔽手段と、
右眼の視界を開放または遮蔽するための第２遮蔽手段と、
前記第１制御信号と前記第２制御信号とを受信する受信手段と、
前記第１制御信号及び前記第２制御信号に基づいて、前記第１遮蔽手段及び前記第２遮蔽手段の開閉を制御する制御手段と、
を備え、
前記制御手段は、前記表示装置と自己の立体視用眼鏡との間の距離に応じて、前記第１遮蔽手段及び前記第２遮蔽手段の開閉を、立体視用と平面視用とに切り換えて制御することを特徴とする立体視映像表示システム。
【発明の詳細な説明】
【技術分野】
【０００１】
本発明の実施形態は、立体視用眼鏡、立体視映像表示装置及び立体視映像表示システムに関する。
【背景技術】
【０００２】
従来、両眼の間隔に対応した視差を有する２種類の映像を用いることで、立体感のある映像をユーザに提供可能なテレビジョン放送受信装置等の立体視映像表示装置が存在している。係る立体視映像表示装置では、例えば、右眼用映像と左眼用映像とを交互に表示させ、この表示タイミングに基づいて、立体視用眼鏡に設けられた左眼のシャッタ及び右眼のシャッタの開閉を制御することで、立体視用眼鏡を装着したユーザに立体視映像を認識させている。
【０００３】
また、従来、立体視映像を良好に立体視させるため、表示画面に対するユーザの現在位置（表示画面からの距離）に応じて、立体視映像を２Ｄ変換した平面視（二次元）映像を表示する技術が知られている。
【先行技術文献】
【特許文献】
【０００４】
【特許文献１】特開２００９−２９６１１８号公報
【発明の概要】
【発明が解決しようとする課題】
【０００５】
ところで、上記の従来技術では、表示装置側で立体視映像を平面視映像に切り替えて表示しているため、立体視用眼鏡を装着した複数のユーザが同一の表示装置を視聴している場合、全てのユーザが同じ映像を観賞することになる。しかしながら、この場合、適正な位置に存在するユーザも平面視映像を観賞することになるため、ユーザの利便性に関し更なる改善が望まれている。
【０００６】
本発明は、上記に鑑みてなされたものであって、その目的は、立体視映像の観賞位置に応じて、立体視映像と平面視映像とを切り替えて表示することが可能な立体視用眼鏡、立体視映像表示装置及び立体視映像表示システムを提供することである。
【課題を解決するための手段】
【０００７】
実施の形態の立体視用眼鏡は、第１遮蔽手段と、第２遮蔽手段と、受信手段と、制御手段とを備えている。第１遮蔽手段は、左眼の視界を開放または遮蔽する。第２遮蔽手段は、右眼の視界を開放または遮蔽する。受信手段は、左眼用の映像信号及び右眼用の映像信号の表示タイミングに同期して当該映像信号の表示を行う表示装置から送信された第１遮蔽手段を開閉させるための第１制御信号と、第２遮蔽手段を開閉させるための第２制御信号とを受信する。制御手段は、第１制御信号及び前記第２制御信号に基づいて、前記第１遮蔽手段及び前記第２遮蔽手段の開閉を制御する。更に、制御手段は、表示装置と自己の装置との間の距離に応じて、第１遮蔽手段及び第２遮蔽手段の開閉を、立体視用と平面視用とに切り換えて制御する。
【図面の簡単な説明】
【０００８】
【図１】図１は、第１の実施形態に係るデジタルテレビジョン放送受信装置の構成を示す図である。
【図２】図２は、図１に示した合成処理部の構成を示す図である。
【図３】図３は、第１の実施形態に係る立体視用眼鏡の構成を示す図である。
【図４】図４は、デジタルテレビジョン放送受信装置に表示される映像フレームと、液晶シャッタ眼鏡との関係を説明するための図である。
【図５】図５は、第１の実施形態に係る立体視用眼鏡が実行するシャッタ制御処理の手順を示すフローチャートである。
【図６】図６は、第２の実施形態に係るデジタルテレビジョン放送受信装置の構成を示す図である。
【図７】図７は、第２の実施形態に係る立体視用眼鏡の外観構成を模式的に示す図である。
【図８】図８は、第２の実施形態に係る立体視用眼鏡の構成を示すブロック図である。
【発明を実施するための形態】
【０００９】
［第１の実施形態］
図１は、第１の実施形態に係るデジタルテレビジョン放送受信装置（立体視映像表示装置）の構成を示す図である。なお、デジタルテレビジョン放送受信装置１０は、通常の平面視（二次元）表示用の映像信号に基づく映像表示、及び、立体視（三次元）表示用の映像信号に基づく映像表示を行うことが可能な映像表示装置である。
【００１０】
アンテナ１１で受信したデジタルテレビジョン放送信号は、入力端子１０ａを介してチューナ部１２に供給されることにより、所望のチャンネルの放送信号が選局される。そして、このチューナ部１２で選局された放送信号は、復調復号部１３に供給されてデジタルの映像信号及び音声信号等に復元された後、信号処理部１４に出力される。
【００１１】
信号処理部１４は、復調復号部１３から供給されたデジタルの映像信号及び音声信号に対して、それぞれ所定のデジタル信号処理を施している。この信号処理部１４が行う所定のデジタル信号処理には、通常の平面視表示用の映像信号を立体視表示用の映像信号に変換する処理や、立体視表示用の映像信号を平面視表示用の映像信号に変換する処理等も含まれている。そして、信号処理部１４は、デジタルの映像信号を合成処理部１５に出力し、デジタルの音声信号を音声処理部１６に出力している。
【００１２】
このうち、合成処理部１５は、信号処理部１４から供給されるデジタルの映像信号に、ＯＳＤ（On  Screen  Display）信号生成部１７で生成されるＯＳＤ信号を重畳して出力している。この場合、合成処理部１５は、信号処理部１４から供給される映像信号が通常の平面視表示用の映像信号であれば、その映像信号にＯＳＤ信号生成部１７から供給されたＯＳＤ信号をそのまま重畳して出力している。
【００１３】
また、この合成処理部１５は、信号処理部１４から供給される映像信号が立体視表示用の映像信号である場合、詳細は後述するが、ＯＳＤ信号生成部１７から供給されたＯＳＤ信号に対して、入力された立体視表示用の映像信号に対応した立体視表示用の信号処理を施した後、そのＯＳＤ信号を入力映像信号に重畳して出力している。
【００１４】
そして、合成処理部１５から出力されたデジタルの映像信号は、映像処理部１８に供給される。映像処理部１８は、入力されたデジタルの映像信号を、後段の、例えば液晶表示パネル等を有する平面型の映像表示部１９で表示可能なフォーマットのアナログ映像信号に変換している。そして、この映像処理部１８から出力されたアナログ映像信号が、映像表示部１９に供給されて映像表示に供される。
【００１５】
本体側通信部２０は、合成処理部１５に接続され、後述する眼鏡制御部１５９から出力された左眼用及び右眼用のシャッタ制御信号を各立体視用眼鏡３０に送信する。なお、本体側通信部２０の通信方式は、特に問わず、例えば、Ｂｌｕｅｔｏｏｔｈ（登録商標）や赤外線通信方式、ＤＬＰ−ＬＩＮＫ（登録商標）方式等を用いることができる。
【００１６】
ここで、図２は、合成処理部１５の構成を示す図である。信号処理部１４から出力されるデジタルの映像信号は、入力端子１５ａを介して映像変換部１５１に供給される。映像変換部１５１は、入力された映像信号が立体視（三次元）表示用の映像信号である場合、その映像信号を特定の映像フォーマットに変換して、画質制御部１５２及び視差量抽出部１５３に出力している。
【００１７】
立体視表示用の映像信号には、１フレーム同期期間内で左眼用映像フレーム後に右眼用映像フレームを送出するフレームパッキング方式や、１水平期間内で左眼用映像ライン後に右眼用映像ラインを送出するサイドバイサイド方式等、様々な映像フォーマットが存在する。さらに、各映像フォーマットの中でも、映像のサイズや走査方式（インタレース／プログレッシブ）等が種々存在する。
【００１８】
このため、本実施形態では、映像変換部１５１が、入力された立体視表示用の映像信号に対して、スケーリング処理やＩＰ（Interlace／Progressive）変換処理等の処理を施すことにより、所定の映像サイズ（例えば、水平方向１９２０画素×垂直方向１０８０ライン）のフレームパッキング方式の映像フォーマットに変換し、垂直同期信号に同期させて画質制御部１５２及び視差量抽出部１５３に出力するものとする。
【００１９】
このうち、画質制御部１５２は、入力された映像信号に対して、制御部２２の制御に基づいた明るさ調整、コントラスト調整及び色相調整等の画質調整処理を施し、垂直同期信号に同期させて合成部１５４に出力している。
【００２０】
また、上記視差量抽出部１５３は、映像変換部１５１により、フレームパッキング方式の映像フォーマットに変換された立体視表示用の映像信号に対して、その左眼用映像フレームと右眼用映像フレームとの間の映像の比較を行ない、視差量を抽出している。
【００２１】
この視差量抽出部１５３による視差量の抽出処理は、左眼用映像フレームに表示されている物体の位置を基準として、右眼用映像フレームに表示されている同じ物体の左右方向の位置ずれを、画素数で示すことによって行なわれる。この視差量抽出処理は、連続するフレームで表示される同じ物体の動き位置を検出するための動きベクトルの技術を利用することで容易に実現することができる。具体的には、画面上で水平方向に配列された画素に、左側から右側に向けて番号を振り、左眼用映像フレームに表示されている或る物体の所定位置の画素の番号から、右眼用映像フレームに表示されているその物体の同じ所定位置の画素の番号を減算することにより、視差量を画素数で示すことができる。
【００２２】
この場合、視差量が負値のときは、左眼用映像より右眼用映像が右側に存在することになり、その物体は画面よりも奥側で結像される映像となる。また、視差量が正値のときは、左眼用映像より右眼用映像が左側に存在することになり、その物体は画面よりも手前で結像される映像となる。
【００２３】
また、視差量抽出部１５３は、入力端子１５ｂを介して入力される制御部２２からの制御信号に応じて、上述した視差量の値をゼロ値に切り換える。ここで、視差量がゼロ値の状態は、左眼用映像及び右眼用映像はともに同位置となり、画面上に結像される映像、即ち平面視（二次元）映像となる。
【００２４】
そして、視差量抽出部１５３によって抽出された視差量は、ＯＳＤ位置算出部１５５に供給される。このＯＳＤ位置算出部１５５は、入力された視差量に基づいて、ＯＳＤを立体視表示させる際の表示位置を補正する計算を行ない、その計算結果を示す視差制御信号を出力している。
【００２５】
具体的に、ＯＳＤ位置算出部１５５は、視差量抽出部１５３で抽出された視差量が時間軸方向の変動がない状態、または、視差量が時間軸方向に緩やかに変動している映像表示状態のときに、ＯＳＤを立体視表示させる際の表示位置を補正する計算を実行する。すなわち、視差量が時間軸方向に激しく変動している場合は、映像が奥行き方向に激しく動いている状態であり、この状態ではユーザは映像に意識が向いているため、重畳するＯＳＤも奥行き方向に激しく動くと見苦しくなるからである。このため、ＯＳＤ位置算出部１５５は、視差量が激しく変動している状態では、視差量の変動がすくないときに算出した結果を示す視差制御信号を出力している。なお、視差量がゼロ値の状態では、表示位置の補正は行わないものとする。
【００２６】
そして、このＯＳＤ位置算出部１５５から出力される視差制御信号は、ＯＳＤ立体変換部１５６に供給される。このＯＳＤ立体変換部１５６には、上記ＯＳＤ信号生成部１７から出力されるＯＳＤ信号が、入力端子１５ｃを介して供給されている。このＯＳＤ立体変換部１５６は、視差制御信号に基づいて、入力されたＯＳＤ信号から、左眼用映像フレームに重畳する左眼用ＯＳＤ信号と、右眼用映像フレームに重畳する右眼用ＯＳＤ信号とを生成し、ＯＳＤバッファ１５７に出力し記憶させている。
【００２７】
そして、合成部１５４で合成された映像信号は、フレーム変換部１５８に供給され、垂直同期周波数が２倍に変換されて、つまり、フレーム周波数が倍速化された後、出力端子１５ｄから上記映像処理部１８を介して映像表示部１９に出力される。これにより、映像表示部１９では、左眼用映像フレームと右眼用映像フレームとが交互に表示される。
【００２８】
また、上記フレーム変換部１５８で生成されるフレーム同期信号は、眼鏡制御部１５９に供給される。眼鏡制御部１５９は、フレーム変換部１５８から供給されたフレーム同期信号に同期して左眼用及び右眼用のシャッタ制御信号を生成し、出力端子１５ｅから本体側通信部２０を介して立体視用眼鏡３０に出力する。
【００２９】
図１に戻り、音声処理部１６は、信号処理部１４から入力されたデジタルの音声信号を、後段のスピーカ２１で再生可能なフォーマットのアナログ音声信号に変換する。そして、この音声処理部１６から出力されたアナログ音声信号が、スピーカ２１に供給されることにより音声再生に供される。
【００３０】
ここで、デジタルテレビジョン放送受信装置１０では、上記した各種の受信動作を含むその全ての動作が制御部２２によって統括的に制御されている。この制御部２２は、ＣＰＵ（Central  Processing  Unit）２２ａを内蔵しており、デジタルテレビジョン放送受信装置１０の本体に設置された操作部２３からの操作情報を受けて、または、リモートコントローラ４０から送出され受信部２４で受信した操作情報を受けて、その操作内容が反映されるように各部をそれぞれ制御している。
【００３１】
この場合、制御部２２は、メモリ部２２ｂを利用している。このメモリ部２２ｂは、主として、ＣＰＵ２２ａが実行する制御プログラムを格納したＲＯＭ（Read  Only  Memory）と、該ＣＰＵ２２ａに作業エリアを提供するためのＲＡＭ（Random  Access  Memory）と、各種の設定情報及び制御情報等が格納される不揮発性メモリとを有している。
【００３２】
また、制御部２２には、ディスクドライブ部２５が接続されている。このディスクドライブ部２５は、例えばＤＶＤ（Digital  Versatile  Disk）等の光ディスクＭを着脱自在とするもので、装着された光ディスクＭに対してデジタルデータの記録再生を行なう機能を有している。
【００３３】
そして、制御部２２は、ユーザによる操作部２３やリモートコントローラ４０の操作に基づいて、上記復調復号部１３から得られるデジタルの映像信号及び音声信号を、記録再生処理部２６によって暗号化し所定の記録フォーマットに変換した後、ディスクドライブ部２５に供給して光ディスクＭに記録させるように制御することができる。
【００３４】
また、制御部２２は、ユーザによる操作部２３やリモートコントローラ４０の操作に基づいて、ディスクドライブ部２５により光ディスクＭからデジタルの映像信号及び音声信号を読み出させ、上記記録再生処理部２６によって復号化した後、信号処理部１４に供給することによって、以後、上記した映像表示及び音声再生に供させるように制御することができる。
【００３５】
さらに、制御部２２には、ＨＤＤ（Hard  Disk  Drive）２７が接続されている。制御部２２は、ユーザによる操作部２３やリモートコントローラ４０の操作に基づいて、上記復調復号部１３から得られるデジタルの映像信号及び音声信号を、記録再生処理部２６によって暗号化し所定の記録フォーマットに変換した後、ＨＤＤ２７に記録させるように制御することができる。
【００３６】
また、制御部２２は、ユーザによる操作部２３やリモートコントローラ４０の操作に基づいて、ＨＤＤ２７からデジタルの映像信号及び音声信号を読み出させ、上記記録再生処理部２６によって復号化した後、信号処理部１４に供給することによって、以後、上記した映像表示及び音声再生に供させるように制御することができる。
【００３７】
さらに、上記デジタルテレビジョン放送受信装置１０には、入力端子１０ｂが接続されている。この入力端子１０ｂは、デジタルテレビジョン放送受信装置１０の外部からデジタルの映像信号及び音声信号を直接入力するためのものである。この入力端子１０ｂを介して入力されたデジタルの映像信号及び音声信号は、制御部２２の制御に基づいて、記録再生処理部２６を介した後、信号処理部１４に供給されて、以後、上記した映像表示及び音声再生に供される。
【００３８】
また、この入力端子１０ｂを介して入力されたデジタルの映像信号及び音声信号は、制御部２２の制御に基づいて、記録再生処理部２６を介した後、ディスクドライブ部２５による光ディスクＭに対しての記録再生や、ＨＤＤ２７に対しての記録再生に供される。
【００３９】
なお、制御部２２は、ユーザによる操作部２３やリモートコントローラ４０の操作に基づいて、ディスクドライブ部２５とＨＤＤ２７との間で、光ディスクＭに記録されているデジタルの映像信号及び音声信号をＨＤＤ２７に記録したり、ＨＤＤ２７に記録されているデジタルの映像信号及び音声信号を光ディスクＭに記録したりすることも制御している。
【００４０】
また、制御部２２には、ネットワークインタフェース２８が接続されている。このネットワークインタフェース２８は、外部のネットワークＮに接続されている。そして、ネットワークインタフェース２８はネットワークＮを介し、図示しない外部装置との間で通信を行う。このため、制御部２２は、ネットワークインタフェース２８を介し、ネットワークＮに接続された外部装置にアクセスして情報通信を行なうことにより、そこで提供しているサービスを利用することができるようになっている。
【００４１】
次に、図３を参照して、立体視用眼鏡３０について説明する。図３は、本実施形態に係る立体視用眼鏡３０の構成を示す図である。同図に示すように、立体視用眼鏡３０は、液晶シャッタ眼鏡３１と、眼鏡側通信部３２と、測定部３３と、シャッタ駆動部３４とを備えている。
【００４２】
液晶シャッタ眼鏡３１は、左眼の視界を開放又は遮蔽するための左眼液晶シャッタ（Ｌシャッタ）３１１と、右眼の視界を開放又は遮蔽するための右眼液晶シャッタ（Ｒシャッタ）３１２とを有している。視聴者は、この液晶シャッタ眼鏡３１を装着して、交互に表示される左眼用の画像と右眼用の画像とを左眼と右眼とで交互に鑑賞することにより、立体視を体感する。
【００４３】
眼鏡側通信部３２は、本体側通信部２０の送信方式に対応した受信装置であって、デジタルテレビジョン放送受信装置１０の本体側通信部２０から送信された左眼用及び右眼用のシャッタ制御信号を受信する。
【００４４】
測定部３３は、立体視用眼鏡３０とデジタルテレビジョン放送受信装置１０（映像表示部１９）との間の距離を測定し、この距離を表した距離信号をシャッタ制御部３５に出力する。ここで、立体視用眼鏡３０とデジタルテレビジョン放送受信装置１０との間の距離の測定方法は、特に問わず、公知公用の技術を用いることが可能である。例えば、シャッタ制御信号が赤外線通信により送信される場合には、眼鏡側通信部３２がシャッタ制御信号を受信する受信感度の強弱（強度）に基づいて、立体視用眼鏡３０からデジタルテレビジョン放送受信装置１０までの距離を測定してもよい。また、光パルスをデジタルテレビジョン放送受信装置１０に向けて照射し、その反射光の受信までの時間を計測するＴＯＦ方式を実現する構成を測定部３３が具備する形態としてもよい。
【００４５】
シャッタ駆動部３４は、シャッタ制御部３５から入力される制御信号に従い、Ｌシャッタ３１１及びＲシャッタ３１２を開閉することで、デジタルテレビジョン放送受信装置１０に表示される映像（光）の透過状態と不透過状態を実現する。
【００４６】
シャッタ制御部３５は、ＣＰＵ３５ａを内蔵し、眼鏡側通信部３２から入力される左眼用及び右眼用のシャッタ制御信号に基づいて、Ｌシャッタ３１１及びＲシャッタ３１２の開閉を制御する。また、シャッタ制御部３５は、測定部３３から入力される距離信号に応じて、Ｌシャッタ３１１及びＲシャッタ３１２の開閉を、立体視用と平面視用とに切り換えて制御する。この場合、シャッタ制御部３５は、メモリ部３５ｂを利用している。このメモリ部３５ｂは、主として、ＣＰＵ３５ａが実行する制御プログラムを格納したＲＯＭと、ＣＰＵ３５ａに作業エリアを提供するためのＲＡＭと、各種の設定情報及び制御情報等が格納される不揮発性メモリとを有している。
【００４７】
具体的に、シャッタ制御部３５は、距離信号が表す距離、即ち立体視用眼鏡３０とデジタルテレビジョン放送受信装置１０との間の距離が所定の範囲（以下、立体視可能範囲という）に含まれる場合に、眼鏡側通信部３２から入力される左眼用及び右眼用のシャッタ制御信号と同期して、Ｌシャッタ３１１及びＲシャッタ３１２を交互に開閉させる駆動信号をシャッタ駆動部３４に出力する。以下、この駆動信号の出力動作を立体視用モードという。
【００４８】
そして、シャッタ制御部３５は、上記した立体視用モードで駆動信号を出力することにより、左眼用映像フレームがデジタルテレビジョン放送受信装置１０に表示されているときに、Ｌシャッタ３１１の開状態とＲシャッタ３１２の閉状態とを実現し、右眼用映像フレームがデジタルテレビジョン放送受信装置１０に表示されているときに、Ｌシャッタ３１１の閉状態とＲシャッタ３１２の開状態とを実現する。
【００４９】
また、シャッタ制御部３５は、距離信号が表す距離、即ち立体視用眼鏡３０とデジタルテレビジョン放送受信装置１０との間の距離が上述した立体視可能範囲外（以下、立体視不可範囲という）の場合に、眼鏡側通信部３２から入力される左眼用又は右眼用のシャッタ制御信号と同期して、Ｌシャッタ３１１及びＲシャッタ３１２を同時に開閉させる駆動信号をシャッタ駆動部３４に出力する。以下、この駆動信号の出力動作を平面視用モードという。
【００５０】
そして、シャッタ制御部３５は、上記した平面視用モードで駆動信号を出力することにより、左眼用映像フレーム（又は右眼用映像フレーム）がデジタルテレビジョン放送受信装置１０に表示されているときに、Ｌシャッタ３１１及びＲシャッタ３１２の開状態を実現し、右眼用映像フレーム（又は左眼用映像フレーム）がデジタルテレビジョン放送受信装置１０に表示されているときに、Ｌシャッタ３１１及びＲシャッタ３１２の閉状態を実現する。
【００５１】
ここで、図４を参照して、シャッタ制御部３５の動作について説明する。図４は、デジタルテレビジョン放送受信装置１０に表示される映像信号（フレーム）と、液晶シャッタ眼鏡３１との関係を説明するための図である。
【００５２】
図４において、映像信号Ｐは、デジタルテレビジョン放送受信装置１０の映像表示部１９に表示されるものである。ここで、左眼用映像Ｌは左眼用の映像信号Ｐを右眼用映像Ｒは右眼用の映像信号Ｐを表している。同図に示すように、左眼用映像Ｌ及び右眼用映像Ｒは、１フレーム毎に交互に表示される。同図では、図中左方から右方にかけて（１）〜（８）の順に８個の映像フレームが表示された例を示している。
【００５３】
液晶シャッタ眼鏡３１のＬシャッタ３１１及びＲシャッタ３１２に示す記号Ｌ及びＲは、Ｌシャッタ３１１及び／又はＲシャッタ３１２の開放により見ることが可能となった左眼用映像Ｌ及び右眼用映像Ｒを意味している。また、液晶シャッタ眼鏡３１の上部に示す（１）〜（８）は、左眼用映像Ｌ及び右眼用映像Ｒに付した（１）〜（８）に対応しており、同一番号の映像が映像表示部１９に表示された際の、Ｌシャッタ３１１及びＲシャッタ３１２の開閉状態を表している。
【００５４】
また、図４において、距離はデジタルテレビジョン放送受信装置１０と本体側通信部２０との間の距離を示している。ここで、距離Ｄ０がデジタルテレビジョン放送受信装置１０での表示位置（表示面）に対応し、Ｄ０＜Ｄ１＜Ｄ２の順に離間距離が増大している。なお、同図では、距離Ｄ０〜Ｄ１の範囲を上述した立体視不可範囲に、距離Ｄ１〜Ｄ２の範囲を立体視可能範囲に設定した例を示している。なお、立体視不可範囲は、立体視映像を鑑賞する上で眼に負担がかかるような視聴距離に基づいて定められているとし、立体視可能範囲は、立体視映像を鑑賞する上で眼に負担のかからない適正な視聴距離に基づいて定められているとする。
【００５５】
シャッタ制御部３５は、距離信号が表す距離が立体視可能範囲（距離Ｄ１〜Ｄ２）に含まれる場合に、立体視用モードに切り替えて駆動信号をシャッタ駆動部３４に出力する。これにより、左眼用映像Ｌが表示されているときに、Ｌシャッタ３１１は開状態となり、Ｒシャッタ３１２は閉状態となる。また、右眼用映像Ｒが表示されているときに、Ｌシャッタ３１１は閉状態となり、Ｒシャッタ３１２は開状態となる。そのため、立体視用眼鏡３０を装着したユーザは、左眼用映像Ｌを左眼で右眼用映像Ｒを右眼で見ることになり、結果として、ユーザは左眼用映像Ｌ及び右眼用映像Ｒが表す立体視映像を認識することになる。
【００５６】
また、シャッタ制御部３５は、距離信号が表す距離が立体視不可範囲（距離Ｄ０〜Ｄ１）に含まれる場合に、平面視用モードに切り替えて駆動信号をシャッタ駆動部３４に出力する。これにより、左眼用映像Ｌが表示されているときに、Ｌシャッタ３１１及びＲシャッタ３１２が開状態となり、右眼用映像Ｒが表示されているときに、Ｌシャッタ３１１及びＲシャッタ３１２が閉状態となる。そのため、立体視用眼鏡３０を装着したユーザは、左眼用映像Ｌのみを両眼で見ることになり、結果として、左眼用映像Ｌが表す平面視映像を認識することになる。
【００５７】
このように、シャッタ制御部３５は、立体視用眼鏡３０とデジタルテレビジョン放送受信装置１０との間の距離に応じて、立体視映像と平面視映像との表示を切り替える。これにより、立体視用眼鏡３０を装着したユーザが、立体視映像を鑑賞する上で眼に負担がかかるような距離（立体視不可距離）に位置した場合に、平面視映像をユーザに提供することができるため、ユーザの眼に係る負荷を軽減することができる。
【００５８】
なお、図４の例では立体視不可範囲（距離Ｄ０〜Ｄ１）において、左眼用映像Ｌを両眼で観賞させる形態としたが、これに限らず、右眼用映像Ｒを両眼で観賞させる形態としてもよい。
【００５９】
以下、図５を参照し、本実施形態の立体視用眼鏡３０の動作について説明する。ここで、図５は、立体視用眼鏡３０のシャッタ制御部３５が実行するシャッタ制御処理の手順を示すフローチャートである。なお、本処理の前提として、デジタルテレビジョン放送受信装置１０の映像表示部１９には立体視映像が表示されているものとする。
【００６０】
まず、立体視用眼鏡３０のシャッタ制御部３５は、測定部３３で測定されたデジタルテレビジョン放送受信装置１０との間の距離が、立体視可能範囲に含まれるか否かを判定する（ステップＳ１１）。
【００６１】
ここで、立体視可能範囲に含まれると判定した場合（ステップＳ１１；Ｙｅｓ）、シャッタ制御部３５は、立体使用モードで動作することで、眼鏡側通信部３２から入力される左眼用及び右眼用のシャッタ制御信号に同期して、Ｌシャッタ３１１及びＲシャッタ３１２を交互に開閉させる立体視用の駆動信号をシャッタ駆動部３４に出力し（ステップＳ１２）、ステップＳ１１に再び戻る。
【００６２】
一方、ステップＳ１１において、測定部３３で測定されたデジタルテレビジョン放送受信装置１０までの距離が立体視不可範囲に含まれると判定した場合（ステップＳ１１；Ｎｏ）、シャッタ制御部３５は、平面視用モードで動作することで、眼鏡側通信部３２から入力される左眼用又は右眼用のシャッタ制御信号に同期して、Ｌシャッタ３１１及びＲシャッタ３１２を同時に開閉させる平面視用の駆動信号をシャッタ駆動部３４に出力し（ステップＳ１３）、ステップＳ１１に再び戻る。
【００６３】
そして、シャッタ制御部３５は、デジタルテレビジョン放送受信装置１０で立体視映像が表示されている間、上記したステップＳ１１〜Ｓ１３の処理を繰り返し実行し、自己の装置の存在位置、即ち立体視映像の観賞位置に応じて立体視用モードと平面視用モードとを切り替える。
【００６４】
以上のように、本実施形態によれば、立体視用眼鏡３０の各々で、自己の装置（立体視用眼鏡３０）とデジタルテレビジョン放送受信装置１０（映像表示部１９）との間の距離を測定し、この測定した距離に応じて液晶シャッタ眼鏡３１の開閉方法を変化させ、観賞可能な映像の表示形態を立体視用と平面視用とに切り替える。これにより、立体視映像の観賞位置、即ち各立体視用眼鏡３０の存在位置に応じて、その存在位置に適した表示形態の映像をユーザに観賞させることが可能となる。また、複数のユーザが同一の立体視用映像を視聴している場合であっても、表示画面に接近しているユーザのみ平面視映像に切り替えることができるため、他のユーザに影響を与えることなく、表示画面に接近したユーザの眼に係る負荷を軽減することができる。
【００６５】
［第２の実施形態］
次に、第２の実施形態について説明する。第１の実施形態では、デジタルテレビジョン放送受信装置１０と各立体視用眼鏡３０との間の距離を、当該立体視用眼鏡３０の測定部３３が測定する形態を説明した。第２の実施形態では、デジタルテレビジョン放送受信装置１０と各立体視用眼鏡３０との間の距離を、デジタルテレビジョン放送受信装置１０が測定し、測定した距離を各立体視用眼鏡３０に提供する形態について説明する。なお、上述した第１の実施形態と同様の構成要素については、同一の符号を付与し説明を省略する。
【００６６】
図６は、第２の実施形態に係るデジタルテレビジョン放送受信装置の構成を示す図である。図６に示すように、デジタルテレビジョン放送受信装置５０は、上述した図１の構成に加え、撮像部５１と測定部５２とを備えている。なお、本実施形態の本体側通信部２０は、各立体視用眼鏡３０と個別に通信可能な、Ｂｌｕｅｔｏｏｔｈ（登録商標）等の通信方式を用いて通信を行うものとする。
【００６７】
撮像部５１は、映像表示部１９の近傍に設けられたＣＣＤやＣＭＯＳ等のイメージセンサであって、デジタルテレビジョン放送受信装置５０に対向するユーザを撮像し、この撮像画像を測定部５２に出力する。
【００６８】
測定部５２は、撮像部５１が撮像した撮像画像から、ユーザが装着する立体視用眼鏡３０に付された後述する指標６０ａを検出し、この指標６０ａの大きさから立体視用眼鏡３０迄の距離を測定する。具体的に、測定部５２は、各立体視用眼鏡３０に付された各指標６０ａの大きさと、映像表示部１９に対する離間距離とを対応付けたテーブルに基づき、撮影画像中に検出した指標６０ａの大きさから、その指標６０ａが付された立体視用眼鏡３０の映像表示部１９までの距離を特定する。
【００６９】
ここで、図７は、第２の実施形態に係る立体視用眼鏡の外観構成を模式的に示す図である。同図に示すように、本実施形態で用いる立体視用眼鏡６０には指標６０ａが付されている。ここで、指標６０ａは、立体視用眼鏡６０毎に固有の形状や記号が割り当てられており、この指標６０ａに基づき各立体視用眼鏡６０を識別することが可能となっている。なお、図７では、立体視用眼鏡６０の四隅に指標６０ａを付した例を示したが、指標６０ａを配置する位置や個数はこれに限らないものとする。また、本実施形態では、指標６０ａを用いて各立体視用眼鏡６０との間の距離を測定する形態としたが、これに限らず、第１の実施形態と同様に各立体視用眼鏡６０との通信の際の受信感度の強弱（強度）に基づいて測定を行う形態としてもよいし、他の公知の方法により測定する形態としてもよい。
【００７０】
また、測定部５２は、測定した距離を表す距離信号を、眼鏡制御部１５９が出力するシャッタ制御信号とあわせて本体側通信部２０から送信させる。なお、測定部５２は、指標６０ａの種別から特定した立体視用眼鏡３０宛に、この立体視用眼鏡３０に対応する距離信号を本体側通信部２０から送信させるものとする。これにより、デジタルテレビジョン放送受信装置５０との間の距離が、各立体視用眼鏡３０に個別に通知されることになる。
【００７１】
図８は、第２の実施形態に係る立体視用眼鏡の構成を示すブロック図である。同図に示すように、立体視用眼鏡６０は、液晶シャッタ眼鏡３１と、眼鏡側通信部３２と、シャッタ駆動部３４と、シャッタ制御部６１とを備えている。
【００７２】
立体視用眼鏡６０のシャッタ制御部６１は、第１の実施形態のシャッタ制御部３５と同様、ＣＰＵ３５ａとメモリ部３５ｂとを有している。シャッタ制御部６１は、眼鏡側通信部３２から入力される左眼用及び右眼用のシャッタ制御信号に基づいて、Ｌシャッタ３１１及びＲシャッタ３１２の開閉を制御する。また、シャッタ制御部６１は、眼鏡側通信部３２から入力される距離信号に応じて、Ｌシャッタ３１１及びＲシャッタ３１２の開閉を、立体視用と平面視用とに切り換えて制御する。
【００７３】
具体的に、シャッタ制御部６１は、距離信号が表す距離、即ち立体視用眼鏡３０とデジタルテレビジョン放送受信装置５０との間の距離が立体視可能範囲の場合に、眼鏡側通信部３２から入力される左眼用及び右眼用のシャッタ制御信号と同期して、Ｌシャッタ３１１及びＲシャッタ３１２を交互に開閉させる駆動信号をシャッタ駆動部３４に出力する（立体視用モード）。
【００７４】
また、シャッタ制御部６１は、距離信号が表す距離、即ち立体視用眼鏡３０とデジタルテレビジョン放送受信装置１０との間の距離が立体視不可範囲に含まれる場合に、眼鏡側通信部３２から入力される左眼用又は右眼用のシャッタ制御信号と同期して、Ｌシャッタ３１１及びＲシャッタ３１２を同時に開閉させる駆動信号をシャッタ駆動部３４に出力する（平面視用モード）。なお、シャッタ制御に係るシャッタ制御部６１の動作は、図５で説明したシャッタ制御部３５と同様であるため、説明を省略する。
【００７５】
以上のように、本実施形態によれば、デジタルテレビジョン放送受信装置５０側で、立体視用眼鏡６０（映像表示部１９）と各立体視用眼鏡６０との間の距離を測定し、この測定した距離を各立体視用眼鏡６０に送信する。また、立体視用眼鏡６０では、デジタルテレビジョン放送受信装置５０から送信された自己の装置（立体視用眼鏡６０）とデジタルテレビジョン放送受信装置５０（映像表示部１９）との間の距離に応じて、液晶シャッタ眼鏡３１の開閉方法を変化させ、観賞可能な映像の表示形態を立体視用と平面視用とに切り替える。
【００７６】
これにより、立体視映像の観賞位置、即ち各立体視用眼鏡６０の存在位置に応じて、その存在位置に適した表示形態の映像をユーザに観賞させることが可能となる。また、複数のユーザが同一の立体視用映像を視聴している場合であっても、表示画面に接近しているユーザのみ平面視映像に切り替えることができるため、他のユーザに影響を与えることなく、表示画面に接近したユーザの眼に係る負荷を軽減することができる。また、上述した立体視用眼鏡３０の構成と比較し、測定部３３を取り除くことができるため、立体視用眼鏡の構成を簡略化することができる。
【００７７】
以上、第１及び第２の実施形態を説明したが、本発明は上記各実施形態そのままに限定されるものではなく、実施段階ではその要旨を逸脱しない範囲で構成要素を変形して具体化することができる。また、上記各実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせてもよい。
【００７８】
例えば、上記実施形態では、本発明を液晶シャッタ方式の立体視映像表示装置及び立体視用眼鏡に適用した例について説明したが、これに限らず、ユーザの左眼及び右眼の視界を、個別に開放又は遮蔽することが可能な方式であれば、他の方式の立体視映像表示装置及び立体視用眼鏡に適用してもよい。
【符号の説明】
【００７９】
１０  デジタルテレビジョン放送受信装置
１１  アンテナ
１２  チューナ部
１３  復調復号部
１４  信号処理部
１５  合成処理部
１５１  映像変換部
１５２  画質制御部
１５３  視差量抽出部
１５４  合成部
１５５  ＯＳＤ位置算出部
１５６  ＯＳＤ立体変換部
１５７  ＯＳＤバッファ
１５８  フレーム変換部
１５９  眼鏡制御部
１６  音声処理部
１７  ＯＳＤ信号生成部
１８  映像処理部
１９  映像表示部
２０  本体側通信部
２１  スピーカ
２２  制御部
２３  操作部
２４  受信部
２５  ディスクドライブ部
２６  記録再生処理部
２７  ＨＤＤ
２８  ネットワークインタフェース
３０  立体視用眼鏡
３１  液晶シャッタ眼鏡
３１１  Ｌシャッタ
３１２  Ｒシャッタ
３２  眼鏡側通信部
３３  測定部
３４  シャッタ駆動部
３５  シャッタ制御部
４０  リモートコントローラ
５０  デジタルテレビジョン放送受信装置
５１  撮像部
５２  測定部
６０  立体視用眼鏡
６１  シャッタ制御部
【図１】
2012049987.tif 000003
【図２】
2012049987.tif 000004
【図３】
2012049987.tif 000005
【図４】
2012049987.tif 000006
【図５】
2012049987.tif 000007
【図６】
2012049987.tif 000008
【図７】
2012049987.tif 000009
【図８】
2012049987.tif 000010
【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
左眼の視界を開放または遮蔽するための第１遮蔽手段と、
右眼の視界を開放または遮蔽するための第２遮蔽手段と、
左眼用の映像信号及び右眼用の映像信号の表示タイミングに同期して当該映像信号の表示を行う表示装置から送信された前記第１遮蔽手段を開閉させるための第１制御信号と、前記第２遮蔽手段を開閉させるための第２制御信号とを受信する受信手段と、
前記第１制御信号及び前記第２制御信号に基づいて、前記第１遮蔽手段及び前記第２遮蔽手段の開閉を制御する制御手段と、
前記表示装置と自己の装置との間の距離を測定する測定手段と、
を備え、
前記制御手段は、前記測定手段が測定した距離に応じて、前記第１制御信号及び前記第２制御信号に基づく前記第１遮蔽手段及び前記第２遮蔽手段の開閉を、立体視用と平面視用とに切り換えることを特徴とする立体視用眼鏡。
【請求項２】
前記制御手段は、
前記表示装置と自己の装置との間の距離が、所定の立体視可能範囲に含まれる場合に、前記第１制御信号及び前記第２制御信号に基づいて、前記第１遮蔽手段及び前記第２遮蔽手段を交互に開閉させる立体視用に切り換え、
前記表示装置と自己の装置との間の距離が、前記立体視可能範囲外の場合に、前記第１制御信号又は前記第２制御信号に基づいて、前記第１遮蔽手段及び前記第２遮蔽手段を同時に開閉させる平面視用に切り換えることを特徴とする請求項１に記載の立体視用眼鏡。
【請求項３】
前記測定手段は、前記受信手段が受信した前記第１制御信号及び前記第２制御信号の強度に基づいて、前記表示装置と自己の装置との間の距離を測定することを特徴とする請求項１に記載の立体視用眼鏡。
【請求項４】
立体視映像表示装置と立体視用眼鏡とを有した立体視映像表示システムであって、
前記立体視映像表示装置は、
左眼用の映像信号及び右眼用の映像信号を表示装置に交互に表示させる表示制御手段と、
前記左眼用の映像信号の表示タイミングに同期して第１制御信号を前記立体視用眼鏡に送信するとともに、前記右眼用の映像信号の表示タイミングに同期して第２制御信号を前記立体視用眼鏡に送信する送信手段と、
を備え、
前記立体視用眼鏡は、
左眼の視界を開放または遮蔽するための第１遮蔽手段と、
右眼の視界を開放または遮蔽するための第２遮蔽手段と、
前記第１制御信号と前記第２制御信号とを受信する受信手段と、
前記第１制御信号及び前記第２制御信号に基づいて、前記第１遮蔽手段及び前記第２遮蔽手段の開閉を制御する制御手段と、
前記表示装置と自己の装置との間の距離を測定する測定手段と、
を備え、
前記制御手段は、前記測定手段が測定した距離に応じて、前記第１制御信号及び前記第２制御信号に基づく前記第１遮蔽手段及び前記第２遮蔽手段の開閉を、立体視用と平面視用とに切り換えることを特徴とする立体視映像表示システム。
【手続補正３】
【補正対象書類名】明細書
【補正対象項目名】０００１
【補正方法】変更
【補正の内容】
【０００１】
本発明の実施形態は、立体視用眼鏡及び立体視映像表示システムに関する。
【手続補正４】
【補正対象書類名】明細書
【補正対象項目名】０００６
【補正方法】変更
【補正の内容】
【０００６】
本発明は、上記に鑑みてなされたものであって、その目的は、立体視映像の観賞位置に応じて、立体視映像と平面視映像とを切り替えて表示することが可能な立体視用眼鏡及び立体視映像表示システムを提供することである。
【手続補正５】
【補正対象書類名】明細書
【補正対象項目名】０００７
【補正方法】変更
【補正の内容】
【０００７】
実施の形態の立体視用眼鏡は、第１遮蔽手段と、第２遮蔽手段と、受信手段と、制御手段と、測定手段とを備えている。第１遮蔽手段は、左眼の視界を開放または遮蔽する。第２遮蔽手段は、右眼の視界を開放または遮蔽する。受信手段は、左眼用の映像信号及び右眼用の映像信号の表示タイミングに同期して当該映像信号の表示を行う表示装置から送信された第１遮蔽手段を開閉させるための第１制御信号と、第２遮蔽手段を開閉させるための第２制御信号とを受信する。制御手段は、第１制御信号及び前記第２制御信号に基づいて、前記第１遮蔽手段及び前記第２遮蔽手段の開閉を制御する。測定手段は、表示装置と自己の装置との間の距離を測定する。更に、制御手段は、測定手段が測定した距離に応じて、前記第１制御信号及び前記第２制御信号に基づく前記第１遮蔽手段及び前記第２遮蔽手段の開閉を、立体視用と平面視用とに切り換える。